(57)【特許請求の範囲】
【請求項１】
複数の内線電話機を収容して内線電話機相互間で、又は公衆網と接続して内線電話機及び公衆網の電話機間で通話接続する構内電話交換機であって、
前記構内電話交換機は、
前記内線電話機から着信対象の内線電話機への発信、又は前記公衆網の電話機から着信対象の内線電話機への発信を検出する発信検出手段と、
前記公衆網の電話機からの発信に関わる発信者番号を受信する発信者番号受信手段と、
各内線電話機を識別する識別番号と、各内線電話機の着信許可に関わる識別番号又は発信者番号を示す着信許可番号とを対応づけて記憶する記憶手段と、
前記発信検出手段にて、発信側内線電話機又は公衆網電話機から着信対象の内線電話機への発信を検出すると、この発信側内線電話機の識別番号を検出し、又は前記発信者番号受信手段にて公衆網電話機の発信者番号を検出し、これら検出された識別番号又は発信者番号が、前記記憶手段にて記憶された着信対象の内線電話機に対応する着信許可番号に一致しているか否かを判定する着信許可判定手段と、
この着信許可判定手段にて一致と判定されたのであれば、発信側内線電話機又は公衆網電話機から着信対象の内線電話機への着信を許可すると共に前記記憶手段の着信許可番号を消去し、前記着信許可判定手段にて不一致と判定されたのであれば、発信側内線電話機又は公衆網電話機から着信対象の内線電話機への着信を拒否する制御手段とを有することを特徴とする構内電話交換機。
【請求項２】
前記制御手段は、着信対象の内線電話機における通話中に、この通話相手の内線電話機の識別番号又は公衆網電話機の発信者番号を着信許可番号として、この着信対象の内線電話機の識別番号に対応づけて記憶手段に記憶させることを特徴とする請求項１記載の構内電話交換機。
【請求項３】
前記制御手段は、着信対象の内線電話機における通話終了後に、この通話相手の内線電話機の識別番号又は公衆網電話機の発信者番号を着信許可番号として、この着信対象の内線電話機の識別番号に対応づけて記憶手段に記憶させることを特徴とする請求項１記載の構内電話交換機。
【請求項４】
前記制御手段は、前記着信許可判定手段にて不一致と判定されたのであれば、発信側内線電話機又は公衆網電話機から着信対象の内線電話機への着信を拒否した後、着信拒否を示すメッセージを発信側の内線電話機又は公衆網電話機に送信することを特徴とする請求項１、２又は３記載の構内電話交換機。
【請求項５】
前記制御手段は、前記着信許可判定手段にて不一致と判定されたのであれば、発信側内線電話機又は公衆網電話機から着信対象の内線電話機への着信を拒否した後、発信側の内線電話機又は公衆網電話機を、着信対象以外の空き状態の内線電話機に着信転送させることを特徴とする請求項１、２又は３記載の構内電話交換機。
【発明の詳細な説明】
【０００１】
【発明の属する技術分野】
本発明は、複数の内線電話機を収容すると共に、公衆網に接続し、公衆網からの発信者電話番号情報等を受信する機能を有した構内電話交換機において、特に、着信側の内線電話機の要求に応じて、その内線電話機への着信を制限する機能を有した構内電話交換機に関する。
【０００２】
【従来の技術】
従来、このような構内電話交換機に収容される複数の内線電話機において、内線−内線間通話を行う場合、もしくは内線電話機から公衆網に接続する加入者電話機に対して発信をかけ、内線−公衆網間通信を行う場合には、構内電話交換機の中央処理装置は、各内線電話機、もしくは加入者電話機の電話番号情報等を認識可能としている。
【０００３】
また、公衆網の加入者電話機から構内電話交換機に収容される内線電話機に着信して、公衆網−内線間通話を行う場合には、公衆網側の加入者電話機から発信者電話番号情報等を送信しており、かつ構内電話交換機において発信者電話番号情報受信装置を備えている場合に限り、構内電話交換機の中央処理装置は、公衆網側の加入者電話機の発信者電話番号情報等を認識可能としている。
【０００４】
この構内電話交換機に収容される複数の内線電話機に対する着信は、発信側の公衆網や他内線の違い、又は電話番号内容の違い等に関わらず、時間的な理由によって優先順位が決められており、この優先順位に基づいてより速い着信を受け付けることができる。
【０００５】
このような構内電話交換機によれば、収容内線電話機が通話中の場合、この内線電話機に発信を行ったとしても、発信者側には話中状態を通知するためのＢＴ音が送信され、発信者側は内線電話機の着信が空き状態になるのを見計らって再度発信操作を行う必要があった。
【０００６】
【発明が解決しようとする課題】
しかしながら、上記従来の構内電話交換機によれば、この構内電話交換機に収容される内線電話機に対して着信があると、この内線電話機に対する着信を無条件に受け付けてしまうために、構内電話交換機に収容される内線電話機が、特定の公衆網の加入者電話機、又は構内電話交換機に収容される特定の内線電話機からの着信を待ち受けていたとしても、他の電話機からの着信を受けてしまって、これら特定の電話機からの着信を優先的に受け付けることができないといった問題点があった。
【０００７】
本発明は上記問題点に鑑みてなされたものであり、その目的とするところは、構内電話交換機に収容される内線電話機において、特定の電話機からの着信を優先的に受け付けることができる構内電話交換機を提供することにある。
【０００８】
【課題を解決するための手段】
上記目的を達成するために本発明における請求項１記載の構内電話交換機は、複数の内線電話機を収容して内線電話機相互間で、又は公衆網と接続して内線電話機及び公衆網の電話機間で通話接続する構内電話交換機であって、前記構内電話交換機は、前記内線電話機から着信対象の内線電話機への発信、又は前記公衆網の電話機から着信対象の内線電話機への発信を検出する発信検出手段と、前記公衆網の電話機からの発信に関わる発信者番号を受信する発信者番号受信手段と、各内線電話機を識別する識別番号と、各内線電話機の着信許可に関わる識別番号又は発信者番号を示す着信許可番号とを対応づけて記憶する記憶手段と、前記発信検出手段にて、発信側内線電話機又は公衆網電話機から着信対象の内線電話機への発信を検出すると、この発信側内線電話機の識別番号を検出し、又は前記発信者番号受信手段にて公衆網電話機の発信者番号を検出し、これら検出された識別番号又は発信者番号が、前記記憶手段にて記憶された着信対象の内線電話機に対応する着信許可番号に一致しているか否かを判定する着信許可判定手段と、この着信許可判定手段にて一致と判定されたのであれば、発信側内線電話機又は公衆網電話機から着信対象の内線電話機への着信を許可すると共に前記記憶手段の着信許可番号を消去し、前記着信許可判定手段にて不一致と判定されたのであれば、発信側内線電話機又は公衆網電話機から着信対象の内線電話機への着信を拒否する制御手段とを有することを特徴とする。
【０００９】
前記内線電話機から着信対象の内線電話機への発信を検出する発信検出手段は、例えば内線ラインに相当するものであり、前記公衆網の電話機から着信対象の内線電話機への発信を検出する発信検出手段は、例えば局線トランクに相当するものである。
【００１０】
また、発信者番号受信手段は、例えば発信者電話番号情報等受信装置に相当するものである。尚、前記内線電話機の識別番号とは、例えば内線番号に相当するものであり、前記公衆網電話機の発信者番号とは、例えば発信者電話番号に相当するものである。
【００１１】
前記着信許可判定手段及び制御手段は、この構内電話交換機全体を統括制御する中央処理装置に相当するものである。
【００１２】
従って、本発明における請求項１記載の構内電話交換機によれば、各内線電話機を識別する識別番号と、各内線電話機の着信許可に関わる識別番号又は発信者番号を示す着信許可番号とを対応づけて記憶手段に予め記憶しておき、発信側内線電話機又は公衆網電話機から着信対象の内線電話機への発信を検出すると、この発信側内線電話機の識別番号を検出し、又は前記発信者番号受信手段にて公衆網電話機の発信者番号を検出し、これら検出された識別番号又は発信者番号が、前記記憶手段にて記憶された着信対象の内線電話機に対応する着信許可番号に一致しているのであれば、発信側内線電話機又は公衆網電話機から着信対象の内線電話機への着信を許可すると共に、不一致であれば、発信側内線電話機又は公衆網電話機から着信対象の内線電話機への着信を拒否するようにしたので、この構内電話交換機に収容される内線電話機において、着信対象の内線電話機が他の電話機からの着信の障害を受けることなく、特定の電話機からの着信を優先的に受け付けることができる。
【００１３】
また、本発明における請求項２記載の構内電話交換機は、上記請求項１記載の構成に加えて、制御手段は、着信対象の内線電話機における通話中に、この通話相手の内線電話機の識別番号又は公衆網電話機の発信者番号を着信許可番号として、この着信対象の内線電話機の識別番号に対応づけて記憶手段に記憶させることを特徴とする。
【００１４】
また、本発明における請求項３記載の構内電話交換機は、上記請求項１記載の構成に加えて、制御手段は、着信対象の内線電話機における通話終了後に、この通話相手の内線電話機の識別番号又は公衆網電話機の発信者番号を着信許可番号として、この着信対象の内線電話機の識別番号に対応づけて記憶手段に記憶させることを特徴とする。
【００１５】
従って、本発明における請求項２又は３記載の構内電話交換機は、上記請求項１記載の効果に加えて、各内線電話機に対応した着信許可番号を通話相手との通話中又は通話終了後に簡単に記憶設定することができる。
【００１６】
また、本発明における請求項４記載の構内電話交換機は、上記請求項１、２又は３記載の構成に加えて、制御手段は、前記着信許可判定手段にて不一致と判定されたのであれば、発信側内線電話機又は公衆網電話機から着信対象の内線電話機への着信を拒否した後、着信拒否を示すメッセージを発信側の内線電話機又は公衆網電話機に送信することを特徴とする。
【００１７】
尚、着信拒否を示すメッセージは、例えばＢＴ音やトーキ音であってもよい。
【００１８】
従って、本発明における請求項４記載の構内電話交換機によれば、上記請求項１、２又は３記載の効果に加えて、着信拒否後に、着信拒否を示すメッセージを発信側の内線電話機又は公衆網電話機に送信するようにしたので、発信者側は着信対象の内線電話機が着信拒否中であることを認識することができる。
【００１９】
また、本発明における請求項５記載の構内電話交換機は、上記請求項１、２又は３記載の構成に加えて、制御手段は、前記着信許可判定手段にて不一致と判定されたのであれば、発信側内線電話機又は公衆網電話機から着信対象の内線電話機への着信を拒否した後、発信側の内線電話機又は公衆網電話機を、着信対象以外の空き状態の内線電話機に着信転送させることを特徴とする。
【００２０】
従って、本発明における請求項５記載の構内電話交換機によれば、上記請求項１、２又は３記載の効果に加えて、着信拒否後に、発信側の内線電話機又は公衆網電話機を着信対象以外の空き状態の内線電話機に着信転送させるようにしたので、発信者側は着信できないことによる不快感を抱くことはない。
【００２１】
【発明の実施の形態】
以下、図面に基づいて本発明の構内電話交換機における実施の形態について説明する。図１は本発明の構内電話交換機における実施の形態を示す電話交換システム内部の概略構成を示すブロック図である。
【００２２】
図１において電話交換システムの構内電話交換機１は、公衆網２と接続する局線トランク３と、内線電話機４Ａ，４Ｂを収容接続する内線ライン５と、後述する発信者番号情報を受信する発信者電話番号情報等受信装置６と、様々な局データ、プログラムデータ等の情報を記憶する記憶装置７と、この構内電話交換機１全体を統括制御する中央処理装置８とを有している。尚、前記公衆網２には加入者電話機９接続されており、この加入者電話機９から構内電話交換機１側に着信があると、この加入者電話機９から、加入者電話機９の発信者番号情報を構内電話交換機１に送信するものである。
【００２３】
また、前記記憶装置７には、この構内電話交換機１に収容中の各内線電話機４Ａ，４Ｂの識別番号である内線番号と、後述するように、この内線電話機４Ａ，４Ｂへの着信を許可する着信許可番号とが記憶されている。尚、前記着信許可番号とは、内線電話機４Ａ，４Ｂの場合には内線番号（電話番号）、公衆網２の加入者電話機９の場合には発信者番号としての発信者電話番号（電話番号）に相当するものである。
【００２４】
では、次に本実施の形態に示す構内電話交換機１の動作について説明する。
【００２５】
まず、内線電話機４Ａからの予約記憶要求処理について説明する。図２は予約記憶要求処理における中央処理装置８の処理動作を示すフローチャートである。
【００２６】
この予約記憶要求処理とは、自内線電話機４Ａの通話中に、この自内線電話機４Ａの通話相手の電話機の電話番号を着信許可番号として記憶装置７に記憶させるように中央処理装置８に要求する処理である。
【００２７】
図２において中央処理装置８は、例えば内線電話機４Ａからの発信があったか否かを判定する（ステップＳ１１）。内線電話機４Ａからの発信がなければ、内線電話機４Ａに着信があったか否かを判定する（ステップＳ１２）。
【００２８】
内線電話機４Ａに着信があったのであれば、又はステップＳ１１にて内線電話機４Ａからの発信があったのであれば、この着信又は発信に応答することにより通話状態となる（ステップＳ１３）。この通話状態中に、内線電話機４Ａから通話中の相手に対して予約記憶要求が入力されたか否かを判定する（ステップＳ１４）。
【００２９】
予約記憶要求が入力されたのであれば、この予約記憶要求を構内電話交換機１の中央処理装置８に送信し（ステップＳ１５）、終話状態となったか否かを判定する（ステップＳ１６）。終話状態となったのであれば、この予約記憶要求処理を終了する。
【００３０】
また、ステップＳ１２にて内線電話機４Ａに着信がなければ、又はステップＳ１６にて終話状態でなければ、ステップＳ１１に移行する。
【００３１】
つまり、内線電話機４Ａが通話状態の場合には、内線電話機４Ａは通話相手の電話機の電話番号を着信許可番号として前記記憶装置７に記憶させるように予約記憶要求を入力することができるものである。尚、図２に示す予約記憶要求処理においては、内線電話機４Ａが通話中に予約記憶要求を入力するようにしたが、内線電話機４Ａによる終話後に予約記憶要求を入力できるようにしても良い。
【００３２】
また、この予約記憶要求処理は、予約要求をした相手が、公衆網２の加入者電話機９又は同構内電話交換機１に収容される他の内線電話機４Ｂであることに関わらず処理されるものである。
【００３３】
次に予約記憶要求処理にて予約記憶要求の入力を受けると、前記着信許可番号を記憶装置７に記憶させる必要がある。
【００３４】
そこで、この予約記憶実行処理について説明する。図３は予約記憶実行処理における中央処理装置８の処理動作を示すフローチャートである。
【００３５】
この予約記憶実行処理とは、先の予約記憶要求処理において予約記憶要求が入力されると、内線電話機４Ａの通話相手の電話機の電話番号を着信許可番号として前記記憶装置７に記憶させる処理である。
【００３６】
図３において中央処理装置８は、内線電話機４Ａの予約記憶要求の入力があったか否かを判定する（ステップＳ２１）。予約記憶要求の入力があれば、この内線電話機４Ａの通話相手である電話機の電話番号、例えば内線電話機４Ｂの場合には内線番号又は公衆網２の加入者電話機９の場合には発信者電話番号が認識可能であるか否かを判定する（ステップＳ２２）。尚、ステップＳ２２の処理は、内線電話機４Ａからの発信もしくは相手側が同構内電話交換機１に収容される他の内線電話機４Ｂからの着信である場合には、相手側の電話番号情報等が認識可能であることは既知である。しかしながら、相手側が公衆網２からの加入者電話機９からの着信である場合に、発信者電話番号情報等受信装置６にて発信者電話番号情報等が送信されない場合があり認識不可能となるため、確認を必要とするからである。
【００３７】
この電話機の電話番号が認識可能であれば、前記記憶装置７の内線電話機４Ａの内線番号に対応づけて、通話相手の電話番号を着信許可番号として前記記憶装置７に予約記憶させ（ステップＳ２３）、この予約記憶実行処理を終了する。
【００３８】
また、ステップＳ２２にて電話機の電話番号が認識可能でなければ、前記記憶装置７の予約記憶を拒否して（ステップＳ２４）、この予約記憶実行処理を終了する。
【００３９】
次に、このように予約記憶実行処理を実行し、前記記憶装置７の内線電話機４Ａに対応づけて着信許可番号を記憶した後の予約着信制御処理について説明する。図４は予約着信制御処理における中央処理装置８の処理動作を示すフローチャートである。
【００４０】
この予約着信制御処理とは、予約記憶実行処理後に、内線電話機４Ａへの着信を制御する処理である。
【００４１】
図４において中央処理装置８は、内線電話機４Ａへの着信があったか否かを判定する（ステップＳ３１）。内線電話機４Ａへの着信があれば、この内線電話機４Ａが空き状態であるか否かを判定する（ステップＳ３２）。この内線電話機４Ａが空き状態であれば、前記記憶装置７にて内線電話機４Ａに対応する予約記憶、つまり、この内線電話機４Ａの内線番号に対応づけた着信許可番号が記憶されているか否かを判定する（ステップＳ３３）。
【００４２】
この記憶装置７にて内線電話機４Ａの予約記憶があれば、発信側電話機の電話番号、例えば発信側電話機が内線電話機４Ｂであれば内線番号、発信側電話機が公衆網２の加入者電話機９であれば発信者電話番号が、予約記憶した着信許可番号と一致しているか否かを判定する（ステップＳ３４）。
【００４３】
この発信側電話機の電話番号と着信許可番号とが一致していなければ、発信側電話機に対して着信拒否を示すメッセージを送信するトーキ音又はＢＴ音を送信して（ステップＳ３５）、この予約着信制御処理を終了する。
【００４４】
また、ステップＳ３４にて発信側電話機の電話番号と着信許可番号とが一致しているのであれば、前記記憶装置７の内線電話機４Ａに対応づけた予約記憶、着信許可番号を消去し（ステップＳ３６）、前記発信側電話機から内線電話機４Ａへの着信を許可し、前記発信側電話機と内線電話機４Ａとを着信接続させ（ステップＳ３７）、この予約着信制御処理を終了する。
【００４５】
また、ステップＳ３２にて内線電話機４Ａが空き状態でなければ、発信側電話機に対してＢＴ音を送信し（ステップＳ３８）、この予約着信制御処理を終了する。
【００４６】
尚、ステップＳ３５においては発信側電話機の電話番号と着信許可番号とが一致していなければ、発信側電話機に対してトーキ音又はＢＴ音を送信するようにしたが、他の空き状態の内線電話機に発信側電話機の着信を転送するようにしても良い。
【００４７】
従って、本実施の形態によれば、各内線電話機４Ａ，４Ｂを識別する内線番号と、各内線電話機４Ａ，４Ｂの着信許可に関わる電話番号を着信許可番号として対応づけて記憶装置７に予約記憶しておき、例えば発信側内線電話機４Ｂ又は加入者電話機９から着信対象の内線電話機４Ａへの発信を検出すると、この発信側内線電話機４Ｂの内線番号を検出し、又は前記発信者電話番号情報等受信装置６にて加入者電話機９の発信者電話番号を検出し、これら検出された内線番号又は発信者電話番号が、前記記憶装置７にて記憶された着信対象の内線電話機４Ａに対応する着信許可番号に一致しているのであれば、発信側内線電話機４Ｂ又は加入者電話機９から着信対象の内線電話機４Ａへの着信を許可すると共に、不一致であれば、発信側内線電話機４Ｂ又は加入者電話機９から着信対象の内線電話機４Ａへの着信を拒否するようにしたので、この構内電話交換機１に収容される内線電話機４Ａ，４Ｂにおいて、着信対象の内線電話機４Ａが他の電話機からの着信の障害を受けることなく、特定の電話機からの着信を優先的に受け付けることができる。
【００４８】
【発明の効果】
上記のように構成された本発明の構内電話交換機によれば、この構内電話交換機に収容される内線電話機において、着信対象の内線電話機が他の発信側電話機からの着信の障害を受けることなく、特定の発信側電話機からの着信のみを優先的に受け付けることができる。
【図面の簡単な説明】
【図１】本発明の構内電話交換機における実施の形態を示す電話交換システム内部の概略構成を示すブロック図である。
【図２】本実施の形態の予約記憶要求処理における中央処理装置の処理動作を示すフローチャートである。
【図３】本実施の形態の予約記憶実行処理における中央処理装置の処理動作を示すフローチャートである。
【図４】本実施の形態の予約着信制御処理における中央処理装置の処理動作を示すフローチャートである。
【符号の説明】
１    構内電話交換機
２    公衆網
３    局線トランク（発信検出手段）
４Ａ  内線電話機（着信対象の内線電話機）
４Ｂ  内線電話機（発信側内線電話機）
５    内線ライン（発信検出手段）
６    発信者電話番号情報等受信装置（発信者番号受信手段）
７    記憶装置（記憶手段）
８    中央処理装置（着信許可判定手段、制御手段）
９    加入者電話機（公衆網電話機）
【図１】
0003693438.tif 000002
【図２】
0003693438.tif 000003
【図３】
0003693438.tif 000004
【図４】
0003693438.tif 000005